(57)【要約】【課題】接続した配管の内部が洗浄し易くなると共に、配管の設置スペースのコンパクト化を図ることができる継手、及び排水システムを提供する。【解決手段】清掃口付き継手５０は、管状に形成され、屈曲部５８Ｃを中心に湾曲されると共に延在方向の一端と他端とが水回り器具からの排水を流す管材に接続される本体管部５８と、本体管部５８に形成され、平面視で屈曲部５８Ｃの少なくとも一部と重なる位置に設けられた清掃口６８と、清掃口６８に嵌合して清掃口６８を閉鎖する中子５４と、を備えている。【選択図】図３
2020063564.tif 000002
【特許請求の範囲】
【請求項１】
管状に形成され、屈曲部を中心に湾曲されると共に延在方向の一端と他端とが水回り器具からの排水を流す管材に接続される本体管部と、
前記本体管部に形成され、平面視で前記屈曲部の少なくとも一部と重なる位置に設けられた清掃口と、
前記清掃口に嵌合して前記清掃口を閉鎖する閉塞部材と、
を備える継手。
【請求項２】
前記本体管部は、該本体管部の前記一端に接続される管材の軸方向に沿って延在する第１直線部と、該第１直線部から連続して形成され、前記本体管部の前記他端に接続される管材の軸方向に沿って延在する第２直線部と、を備えており、
前記清掃口は、前記第１直線部及び前記第２直線部の少なくとも一部と重なる位置に形成されている、
請求項１に記載の継手。
【請求項３】
前記閉塞部材は、前記本体管部の内周面と段差無く繋がる湾曲面を有し、前記屈曲部の一部を構成する、請求項１又は請求項２に記載の継手。
【請求項４】
前記閉塞部材は、少なくとも一部が透明又は半透明に形成されている、
請求項１〜請求項３の何れか１項に記載の継手。
【請求項５】
前記本体管部は、前記一端が横方向に延在する横引き管に接続され、前記他端が鉛直方向に延在する竪管に接続されている、
請求項１〜請求項４の何れか１項に記載の継手。
【請求項６】
横方向に延在し、水廻り器具からの排水を流す前記横引き管と、前記横引き管の下流側に接続され、床上から床下へ鉛直方向に延在する前記竪管を含んで構成される排水管と、
延在方向の一端が前記横引き管の排水方向下流側の端部に接続され、他端が前記竪管の排水方向上流側の端部に接続されると共に床面に支持された請求項５に記載の継手と、
を有する排水システム。
【発明の詳細な説明】
【技術分野】
【０００１】
本発明は、蓋で閉塞可能な開口が形成された継手、及びその継手を用いた排水システムに関する。
【背景技術】
【０００２】
特許文献１には、水平方向（横方向）に延在する横引き管と、鉛直方向に延在する竪管とが、Ｌ字状に湾曲された所謂曲げ管（Ｌ字配管部材）によって連結された排水管の配管構造が開示されている。このように湾曲された配管構造においては、配管の内部に汚れの付着しやすい湾曲部分を清掃するための工夫が必要となる。
【０００３】
そこで、特許文献１では、横引き管の途中に蓋で閉塞可能な開口が形成された継手を予め接続する構成が開示されている。これにより、配管内の洗浄を行う場合に、蓋を外して開口から配管内に洗浄ノズルを挿入し、配管の湾曲部分を洗浄可能とされている。
【先行技術文献】
【特許文献】
【０００４】
【特許文献１】特開２０１８―０２５０７３号公報
【発明の概要】
【発明が解決しようとする課題】
【０００５】
しかし、上記先行技術では、湾曲された配管構造の途中に洗浄ノズルを挿入する清掃口を備える継手と横引き管と竪管とを連結する曲げ管としての継手が別途設けられている。このため、配管の設置スペースが拡大しやすく、設置スペースのコンパクト化という点で改善の余地がある。
【０００６】
本発明は、上記事実を考慮し、接続した配管の内部が洗浄し易くなると共に、配管の設置スペースのコンパクト化を図ることができる継手、及び排水システムの提供を目的とする。
【課題を解決するための手段】
【０００７】
請求項１に記載の本発明に係る継手は、管状に形成され、屈曲部を中心に湾曲されると共に延在方向の一端と他端とが水回り器具からの排水を流す管材に接続される本体管部と、前記本体管部に形成され、平面視で前記屈曲部の少なくとも一部と重なる位置に設けられた清掃口と、前記清掃口に嵌合して前記清掃口を閉鎖する閉塞部材と、を備えている。
【０００８】
請求項１に記載の本発明に係る継手では、管状に形成された本体管部が屈曲部を中心に湾曲されている。また、本体管部の延在方向の一端と他端とが水廻り器具からの排水を流す管材に接続される。つまり、管材による排水経路は、継手の接続部分において湾曲した経路とされており、継手は、排管構造における曲げ管部分に配置されている。
【０００９】
さらに、継手には、平面視で継手を構成する本体管部の屈曲部の少なくとも一部と重なる位置に清掃口が設けられている。そして、継手の通常の使用時においては、清掃口を閉塞部材で閉塞し、排水が継手外へ漏れない構成とされている。
【００１０】
なお、平面視とは、継手を設置した状態で、鉛直方向の上方側から見た場合である。
【００１１】
一方、管材の内部を洗浄ノズルで洗浄する場合には、閉塞部材を取り外し、一例として、清掃口から管材の内部へ洗浄ノズルを挿入する。そして、洗浄ノズルから水を噴出させながら管材へ洗浄ノズルのホースを順次送り込む。これにより、管材の内部を順次洗浄することができる。
【００１２】
このように、上記構成の継手によれば、湾曲された排管構造における曲げ管部分に配管内部の清掃作業に用いる清掃口が設けられている。このため、配管の途中に清掃口を備える継手と曲げ管として機能する継手を別途設ける構造と比べて、配管の設置スペースのコンパクト化が図られる。また、洗浄ノズルを屈曲部の近傍から挿入することができるため、配管の内部の洗浄が容易になる。
【００１３】
請求項２に記載の本発明に係る継手は、請求項１に記載の構成において、前記本体管部は、該本体管部の前記一端に接続される管材の軸方向に沿って延在する第１直線部と、該第１直線部から連続して形成され、前記本体管部の前記他端に接続される管材の軸方向に沿って延在する第２直線部と、を備えており、前記清掃口は、前記第１直線部及び前記第２直線部の少なくとも一部と重なる位置に形成されている。
【００１４】
請求項２に記載の本発明に係る継手において、本体管部を構成する第１直線部及び第２直線部は、該本体管部の両端に接続される管材の軸方向に沿ってそれぞれ延在している。また、本体管部に設けられる清掃口は、第１直線部と第２直線部の少なくとも一部と重なる位置に形成されている。つまり、清掃口は、継手の屈曲部の延在方向全域に亘って形成されている。このため、管材の内部を洗浄ノズルで洗浄する場合には、屈曲部に形成された清掃口から洗浄ノズルのホースを容易に挿入することができるため、配管の内部の洗浄作業が、一層、容易になる。
【００１５】
請求項３に記載の本発明に係る継手は、請求項１又は請求項２に記載の構成において、前記閉塞部材は、前記本体管部の内周面と段差無く繋がる湾曲面を有し、屈曲部の一部を構成している。
【００１６】
請求項３に記載の本発明に係る継手において、閉塞部材は、本体管部の清掃口に嵌合されることにより屈曲部の一部を構成している。また、閉塞部材は、本体管部の内周面と段差無く繋がる湾曲面を有している。これにより、湾曲された継手の内部を排水がスムーズに通過できるため、排水経路の水勢が良好に維持される。
【００１７】
請求項４に記載の本発明に係る継手は、請求項１〜請求項３のいずれか１項に記載の構成において、前記閉塞部材は、少なくとも一部が透明又は半透明に形成されている。
【００１８】
請求項４に記載の本発明に係る継手では、閉塞部材の少なくとも一部が、透明又は半透明に形成されているため、継手の外部から内部が視認可能とされている。これにより、排水経路内の排水状況を点検する際に閉塞部材を取り外す作業が不要となり、点検作業が容易になる。
【００１９】
請求項５に記載の本発明に係る継手は、請求項１〜請求項４のいずれか１項に記載の構成において、前記本体管部は、一端が横方向に延在する横引き管に接続され、他端が鉛直方向に延在する竪管に接続されている。
【００２０】
請求項５に記載の本発明に係る継手において、本体管部は、一端が横方向に延在する横引き管に接続され、他端が鉛直方向に延在する竪管に接続されている。つまり、継手は、横引き管と竪管とを連結しており、横方向に延在する配管を鉛直下方に落とし込む曲げ管として機能する。このため、曲げ管部材の上流側、つまり、横引き管の配管経路の途中に清掃口付き継手を別途配置する場合と比べて、横引き管の長さが短縮される。これにより、配管の設置スペースの省スペース化を図ることができる。
【００２１】
請求項６に記載の本発明に係る排水システムは、水廻り器具からの排水を流す前記横引き管と、前記横引き管の下流側に接続され、床上から床下へ鉛直方向に延在する前記竪管を含んで構成される排水管と、延在方向の一端が前記横引き管の排水方向下流側の端部に接続され、他端が前記竪管の排水方向上流側の端部に接続されると共に床面に支持された請求項５に記載の継手と、を有している。
【００２２】
請求項６に記載の本発明に係る排水システムでは、水廻り器具からの排水が横引き管、及び竪管を含んで構成される排水管を介して排水される。また、清掃口を備えた継手が、横引き管の下流側の端部と竪管の上流側の端部に接続されている。つまり、当該継手は、横引き管と竪管とを連結しており、横方向に延在する配管を鉛直下方に落とし込む曲げ管としての機能を有する。これにより、曲げ管部の近傍から管材の内部に洗浄ノズルのホースを挿入することができ、配管内でホースが大きく折り曲げられることが抑制される。その結果、横引き管及び竪管の内部へホースを挿入し易くなり、洗浄作業が容易になる。
【００２３】
さらに、継手の下流側の端部は、床面に支持されている。これにより、横引き管と竪管との連結部を継手によって支持することができるため、清掃口付き継手と曲げ管部材を別途備える配管構造に比べて、曲げ管を支える治具の設置が不要となる。その結果、配管の設置スペースの省スペース化が一層促進される。
【発明の効果】
【００２４】
以上説明したように本発明の継手によれば、接続した配管の内部が洗浄し易くなる、という優れた効果を奏する。
また、本発明の排水システムによれば、横引き管、及び竪管の内部が洗浄し易くなると共に、配管の設置スペースの省スペース化を図ることができる、という優れた効果を奏する。
【図面の簡単な説明】
【００２５】
【図１】サイホン排水システムの全体構造を示す側面図である。
【図２】清掃口付き継手を示す一部を断面とした斜視図である。
【図３】清掃口付き継手を示す一部を断面とした分解斜視図である。
【図４】中子と蓋を外した清掃口付き継手を示す平面図である。
【図５】中子を示す斜視図である。
【図６】図２に示す清掃口付き継手の６−６線断面図である。
【図７】洗浄ノズルを挿入した清掃口付き継手を示す断面図である。
【図８】ガイド部材を挿入した清掃口付き継手を示す一部を断面にした斜視図である。
【図９】ガイド部材の変形例を示す図８に対応する斜視図である。
【発明を実施するための形態】
【００２６】
以下、図１〜図８に基づいて、本発明の一実施形態に係る清掃口付き継手５０について説明する。図１には、本実施形態に係る清掃口付き継手５０が用いられたサイホン排水システム１０の全体構成が概略図にて示されている。本実施形態に係るサイホン排水システム１０は、サイホン力を利用して水回り器具からの排水を効率よく排出する排水システムである。
【００２７】
（サイホン排水システムの概略）
サイホン排水システム１０は、複数階で構成された集合住宅に用いられ、図１に示すように、排水を下方へ流す排水立て管１２を備えている。この排水立て管１２は、集合住宅の上下方向（鉛直方向）に延設され、集合住宅の各階の床スラブ１４を貫いている。なお、排水立て管１２は、住戸の内外を仕切る外壁１６の外側、例えば、メーターボックス１８の中に配置されている。本実施形態のサイホン排水システムは、集合住宅に好適に用いられるが、集合住宅以外の戸建て住宅や工場等にも用いることができる。
【００２８】
集合住宅の各階の各戸には、水回り器具２０が設けられている。この水回り器具２０は、一例としてキッチンのシンクであり、排水方向下流側にディスポーザー２２、及び排水トラップ２４が接続されている。排水トラップ２４の排水方向下流側には、Ｌ字状に曲げられたＬ字配管部材２６が配置されている。Ｌ字配管部材２６は、排水トラップ２４に接続されて鉛直方向に延びる鉛直部２６Ａ、床スラブ１４の上に水平方向に配置されて水平方向に延びる水平部２６Ｂ、及び鉛直部２６Ａと水平部２６Ｂとを繋ぐ湾曲部２６Ｃを含んで構成されている。
【００２９】
Ｌ字配管部材２６の排水方向下流側には、床スラブ１４の上に配置されて水平方向、言いかえれば鉛直方向に対して直角方向に延びる横引き管部材２８が配置されている。Ｌ字配管部材２６と横引き管部材２８とは、継手３０を介して接続されている。
【００３０】
横引き管部材２１の排水方向下流側の端部には、継手３２を介して後述する清掃口付き継手５０の第１接続部６０が接続されている。清掃口付き継手５０の下流側には、床スラブ１４を貫通して配置され、上下方向に延びる竪管部材３６が配置されている。この竪管部材３６の上流側の端部には、清掃口付き継手５０の第２接続部６２が接続されている。
【００３１】
竪管部材３６の排水方向下流側の端部は、排水立て管１２の中間部に取付けられた合流継手４０に継手４２を介して接続されている。
【００３２】
本実施形態において、床スラブ１４の上に水平に配置されている配管部分、具体的にはＬ字配管部材２６の水平部２６Ｂ、横引き管部材２８、がサイホン排水管４４の横引き管４６とされ、竪管部材３６がサイホン排水管４４の竪管４８とされている。
【００３３】
（継手の構成）
図２、及び図３に示すように、本発明の継手の一例である清掃口付き継手５０は、本体部５２、閉塞部材としての中子５４、及び蓋５６を含んで構成されている。本実施形態の本体部５２、中子５４、及び蓋５６は、合成樹脂で形成されている。
【００３４】
本体部５２は、不透明な合成樹脂で形成されており、筒状をなす本体管部５８を備えている。本体管部５８は、略Ｌ字状に湾曲されており、横引き管４６の軸方向に沿って延在する水平部５８Ａと、竪管４８の軸方向に沿って延在された鉛直部５８Ｂと、を備えている。また、本体管部５８は、水平部５８Ａの下流側の端部と鉛直部５８Ｂの上流側の端部とを繋ぐ屈曲部５８Ｃを備えている。換言すると、本体管部５８は、屈曲部５８Ｃを中心に湾曲された筒体をなしている。また、屈曲部５８Ｃの両側に配置された水平部５８Ａと鉛直部５８Ｂは、互いに直交する方向に延在している。なお、本体管部５８の内径は、一定の径で形成されている。
【００３５】
さらに、本体管部５８には、水平部５８Ａの上流側の端部（本体管部５８の一端）に第１接続部６０が一体的に形成され、鉛直部５８Ｂの下流側の端部（本体管部５８の他端）に第２接続部６２が一体的に形成されている。
【００３６】
第１接続部６０は、本体管部５８の径よりも大径に形成されており、継手３２が挿入可能となっている。第２接続部６２は、本体管部５８の径よりも大径に形成されており、竪管４８の上流側の端部が挿入可能となっている（図２参照）。このように、本実施形態のサイホン排水管４４の清掃口付き継手５０は、横引き管４６と竪管４８とを連結しており、略水平方向（横方向）に延在する配管を鉛直下方側へ落とし込む曲げ管として機能している。なお、本実施形態の清掃口付き継手５０において、第１接続部６０と第２接続部６２とは同一形状であり、第１接続部６０の内径と第２接続部６２の内径は同一内径とされている。
【００３７】
さらに、上記した第２接続部６２は、床スラブ１４の床面１４Ａに図示しない固定手段を用いて固定されている。これにより、清掃口付き継手５０が床スラブ１４によって下方側から支持されている（図１参照）。
【００３８】
図２、図３、図６に示されるように、本体管部５８には、円筒状に形成され、本体管部５８の上面から鉛直上方側へ立設された側管部６４が一体的に設けられている。具体的には、側管部６４は、本体管部５８を構成する水平部５８Ａの上面から屈曲部５８Ｃの上面に亘って設けられている。この側管部６４の径は、本体管部５８の径よりも大径に形成されている。
【００３９】
また、側管部６４と本体管部５８との間には、仕切壁６６が設けられている。仕切壁６６の中央には、仕切壁６６を上下方向に貫通する清掃口６８が形成されている。これにより、側管部６４の内部と本体管部５８の内部とが清掃口６８を介して連通している。
【００４０】
清掃口６８は、平面視で長尺な矩形状に形成されており、長手方向が横引き管４６の軸方向に一致している。また、清掃口６８は、平面視で本体管部５８の少なくとも一部、具体的には、水平部５８Ａ及び屈曲部５８Ｃと重なる位置に形成されている。具体的には、図４に示すように、清掃口６８は、平面視で本体管部５８の水平部５８Ａと屈曲部５８Ｃの外形より一回り大きく形成されている。このため、仕切壁６６に形成された清掃口６８を通して、水平部５８Ａと鉛直部５８Ｂの内部が視認可能とされている。また、清掃口６８の周縁部と本体管部５８との境界部分には、本体管部５８の水平部５８Ａの下流側端部、屈曲部５８Ｃ、鉛直部５８Ｂの上流側端部に亘って連続して形成された段差部６７が設けられている。
【００４１】
図３、図４、図６に示すように、側管部６４の下端部かつ内周面には、側管部６４の径方向の内側（中心側）へ突出した環状の段部７０が形成されている。一方、側管部６４の外周面には、側管部６４の軸方向の上部に雄螺子７２が形成されており、雄螺子７２の下方側には、環状溝７４が形成されている。この環状溝７４には、Ｏリング７６が装着されている。
【００４２】
図２に示すように、側管部６４の内部には、中子５４が挿入されている。中子５４は、透明な合成樹脂で形成されている。図５にも示すように、中子５４は、側管部６４の内部に挿入される円筒部７８を備え、円筒部７８の軸方向の下端部には清掃口６８に嵌合する清掃口閉塞部８０が円筒部７８と一体的に形成されている。
【００４３】
円筒部７８には、軸方向下端部の外周面に環状溝８２が形成されており、この環状溝８２には、Ｏリング８４が装着されている。図２、及び図６に示すように、中子５４が側管部６４の内部に挿入された状態では、Ｏリング８４が側管部６４の内周面に接触し、中子５４と側管部６４との間の隙間をシールする構成とされている。
【００４４】
図２、及び図５に示すように、清掃口閉塞部８０は、Ｌ字状に湾曲された板材として形成され、側管部６４の内部に中子５４を挿入した際に、清掃口６８を上方側から覆うように配置される。また、上記した通り、中子５４は透明な合成樹脂で形成されているため、側管部６４の内部に中子５４を挿入した状態で外部から本体管部５８の内部が視認可能とされている。なお、中子５４を半透明な合成樹脂で形成する構成としてもよい。
【００４５】
また、清掃口閉塞部８０は、清掃口閉塞部８０の延在方向と直行する方向に沿った断面形状が、本体管部５８側に開放された略円弧状とされている。さらに、清掃口閉塞部８０の内面を構成する湾曲面８６の曲率半径は、本体管部５８内周面の曲率半径と一致している。従って、清掃口閉塞部８０を清掃口６８に嵌合させた状態では、清掃口閉塞部８０の周縁部が段差部６７に嵌合し、清掃口閉塞部８０の湾曲面８６は、本体管部５８の内周面と段差無く繋がる構成とされている。これにより、中子５４の清掃口閉塞部８０が、屈曲部５８Ｃの一部を構成している。
【００４６】
蓋５６の内周部には、側管部６４の雄螺子７２に螺合する雌螺子８８と、側管部６４のＯリング７６が接触する接触部９０が形成されている。側管部６４に蓋５６を取り付けると、側管部６４のＯリング７６が蓋５６の接触部９０に接触し、側管部６４と蓋５６との間の隙間をシールする構成とされている。なお、蓋５６は、中子５４と同様に、透明又は半透明な合成樹脂で形成されることが好ましい。蓋５６を透明又は半透明な合成樹脂で形成した場合、蓋５６を側管部６４に装着した状態で、蓋５６、中子５４を通して本体管部５８の内部を視認可能とされる。
【００４７】
（サイホン排水管４４の内部を洗浄する方法）
次に、本実施形態のサイホン排水管４４の内部を洗浄する際の手順を以下に説明する。
【００４８】
（１）  先ず、水廻り器具２０からの排水を停止し、清掃口付き継手５０から蓋５６を取り外し、側管部６４の内部から中子５４を取り出して、図７に示すように清掃口６８を露出させる。
【００４９】
（２）  次に、図８に示すように清掃口付き継手５０の側管部６４に筒状に形成されたガイド部材９２を取り付ける。ガイド部材９２は、ゴム等の弾性体により構成され、略円筒状に形成された基部９２Ａと、基部９２Ａの軸方向の一端側の周縁部から一体に形成された支持部９２Ｂを備えている。支持部９２Ｂは、基部９２Ａの軸方向一端側の周縁部から外側へ立設され、側面視ですり鉢状をなしている。換言すると、支持部９２Ｂは、基部９２Ａの周縁部から外側へ向かうにつれて内径が徐々に拡径された筒体状に形成されている。ガイド部材９２の取付作業は、円筒状の基部９２Ａを側管部６４の内側に挿入することにより完了する。この状態において、支持部９２Ｂの内側面は、基部９２Ａの軸方向（鉛直方向）に対して径方向外側へ傾斜して配置されている。
【００５０】
（３）  次に、洗浄ノズル９２をガイド部材９２を介して清掃口６８に挿入し、横引き管４６と竪管４８の内部を洗浄する。清掃口付き継手５０よりも上流側の横引き管４６の内部を洗浄する場合には、図７に実線で示すように、水ｗを噴射する洗浄ノズル９２を、清掃口６８から本体管部５８の水平部５８Ａ側へ送り込み、横引き管４６の内部へ向けて挿入する。そして、洗浄ノズル９２から水ｗを噴出させながら横引き管４６の上流側へホース９４を順次送り込む。これにより、横引き管４６の内部を順次洗浄することができる。なお、洗浄で使用された水ｗは、竪管４８側へ流れて排水立て管１２に排出される。
【００５１】
ここで、清掃口６８の周りはガイド部材９２の側面で覆われているため、洗浄用の水ｗが清掃口付き継手５０の外部に飛散するということが抑制される。さらに、洗浄ノズル９２を横引き管４６の上流側に送り込む際、側管部６４よりも外側に配置されたホース９４が、ガイド部材９２の支持部９２Ｂによって緩やかに傾斜しながら支持される。このため、ガイド部材９２を介して清掃口６８へ洗浄ノズル９４を挿入する場合でも、ホース９６を洗浄ノズル９４の進行方向に沿って支持することができるため、洗浄ノズル９４及びホース９６の送り込み作業が容易に行える構成とされている。
【００５２】
なお、配管の内径寸法が小さい場合等、ホース９６を配管に沿って大きく傾斜させながら挿入する必要がある場合には、ゴム製の支持部９２Ｂを弾性変形させて傾斜方向を変更し、ホース９６を挿入方向に合わせて支持可能とされている。
【００５３】
一方、清掃口付き継手５０よりも下流側の竪管４８の内部を洗浄する場合には、図７に２点鎖線で示すように、水ｗを噴射する洗浄ノズル９２を、清掃口６８から本体管部５８の鉛直部５８Ｂ側へ送り込み、竪管４８の内部へ向けて挿入する。そして、洗浄ノズル９２から水ｗを噴出させながら竪管４８の下流側へホース９４を順次送り込む。これにより、竪管４８の内部を順次洗浄することができる。本実施形態では、清掃口６８が、平面視で本体管部５８の屈曲部５８Ｃと重なる位置に形成されている。このため、洗浄ノズル９４を清掃口６８から鉛直下方側へ挿入することで竪管４８の内部へ洗浄ノズル９４を送り込むことができる。これにより、洗浄ノズル９４のホース９６をほとんど折り曲げることなく竪管４８内部の洗浄作業が可能とされている。なお、洗浄で使用された水ｗは、竪管４８の下流側へ流れて排水立て管１２に排出される。
【００５４】
（作用、効果）
次に、本実施形態に係る清掃口付き継手５０及びサイホン排水システム１０の作用並びに効果について説明する。
【００５５】
本実施形態のサイホン排水システム１０を構成する清掃口付き継手５０は、管状に形成された本体管部５８が屈曲部５８Ｃを中心に湾曲されている。また、本体管部５８の上流側の一端が横引き管４６に接続され、本体管部５８の下流側の他端が竪管４８に接続されている。つまり、サイホン排水システム１０における排水経路では、清掃口付き継手５０の接続部分において湾曲した経路とされており、清掃口付き継手５０は、排管構造における曲げ管部分に配置されている。
【００５６】
さらに、清掃口付き継手５０には、平面視で継手を構成する本体管部５８の屈曲部５８Ｃの少なくとも一部と重なる位置に清掃口６８が設けられている。そして、清掃口付き継手５０の通常の使用時においては、清掃口６８を中子５４の清掃口閉塞部８０で閉塞し、排水が継手の外へ漏れない構成とされている。
【００５７】
一方、横引き管４６及び竪管４８の内部を洗浄ノズル９４で洗浄する場合には、中子５４を取り外し、清掃口６８から横引き管４６及び竪管４８の内部へ洗浄ノズル９４を挿入する。そして、洗浄ノズル９４から水ｗを噴出させながら横引き管４６及び竪管４８の内部へ洗浄ノズル９４のホース９６を順次送り込む。これにより、配管の内部を順次洗浄することができる。
【００５８】
このように、上記構成の清掃内付き継手５０によれば、湾曲された排管構造における曲げ管部分に配管内部の清掃作業に用いる清掃口６８が設けられている。このため、配管の途中に清掃口を備える継手と曲げ管として機能する継手を別途設ける構造と比べて、配管の設置スペースのコンパクト化が図られる。また、洗浄ノズル９４を屈曲部５８Ｃの近傍から挿入することができるため、ホース９６を急激に曲げずに配管内に送り込むことができ、配管の内部の洗浄が容易になる。
【００５９】
また、本実施形態では、清掃口付き継手５０を構成する本体管部５８の水平部５８Ａ及び鉛直部５８Ｂは、該本体管部５８の両端に接続される横引き管４６及び竪管４８の軸方向に沿ってそれぞれ延在している。また、本体管部５８に設けられる清掃口６８は、水平部５８Ａと鉛直部５８Ｂの少なくとも一部と重なる位置に形成されている。つまり、清掃口６８は、清掃口付き継手５０の湾曲部分の全域に亘って形成されている。このため、横引き管４６及び竪管４８の内部を洗浄ノズル９４で洗浄する場合には、清掃口６８から洗浄ノズル９４のホース９６を容易に挿入することができるため、一層、配管の内部を洗浄し易くなる。
【００６０】
また、本実施形態では、清掃口付き継手５０の中子５４は、清掃口閉塞部８０が清掃口６８に嵌合されることにより本体管部５８の屈曲部５８Ｃの一部を構成している。また、当該清掃口閉塞部８０の内面を構成する湾曲面８６は、本体管部５８の内周面と段差無く繋がる構成とされている。これにより、湾曲された清掃内付き継手５０の内部を排水がスムーズに通過できるため、排水経路の水勢を良好に維持することができる。
【００６１】
また、本実施形態の清掃口付き継手５０では、中子５４が透明な合成樹脂で形成されているため、清掃口付き継手５０の外部から内部が視認可能とされている。これにより、サイホン排水システムの設置後や、定期点検作業時に清掃口付き継手５０に中子５４を装着した状態で排水経路内の排水状況を点検することができ、点検作業が容易になる。
【００６２】
なお、蓋５６を透明又は半透明な合成樹脂で形成すれば、蓋５６及び中子５４を清掃口付き継手５０に装着したままで排水経路内の排水状況を点検することができ、点検作業を一層容易に行うことができる。
【００６３】
また、本実施形態の清掃口付き継手５０を構成する本体管部５８は、一端が水平方向（横方向）に延在する横引き管４６に接続され、他端が鉛直方向に延在する竪管４８に接続されている。つまり、清掃口付き継手５０は、横引き管４６と竪管４８とを連結しており、横方向に延在する配管を鉛直下方に落とし込む曲げ管として機能している。このため、曲げ管部材の上流側、つまり、横引き管４６の配管経路の途中に清掃口付き継手を別途配置する場合と比べて、横引き管４６の長さが短縮される。これにより、配管の設置スペースの省スペース化を図ることができる。
【００６４】
また、本実施形態のサイホン排水システム１０では、清掃口付き継手５０が、横引き管４６の下流側の端部と竪管４８の上流側の端部に接続されている。さらに、清掃口付き継手の下流側の端部は、床面に支持されている。これにより、横引き管と竪管との連結部を継手によって支持することができるため、排水経路の途中に清掃口付き継手と曲げ管部材を別途備える配管構造に比べて、曲げ管を支える治具の設置が不要となる。その結果、配管の設置スペースの省スペース化を、一層、促進することができる。
【００６５】
［補足説明］
以上、本発明の一実施形態について説明したが、本発明は、上記に限定されるものでなく、上記以外にも、その主旨を逸脱しない範囲内において種々変形して実施可能であることは勿論である。
【００６６】
例えば、上記実施形態では、清掃口付き継手５０を構成する中子５４及び蓋５６の全体を透明又は半透明の合成樹脂で形成する構成としたが、本発明はこれに限らない。中子５４、及び蓋５６の一部が透明又は半透明の合成樹脂で形成する構成としてもよい。具体的には、中子５４の円筒部７８を不透明な合成樹脂で形成し、清掃口閉塞部８０を透明な合成樹脂で形成してもよい。つまり、中子５４及び蓋５６において、平面視で清掃口付き継手５０の清掃口６８を重なる部位が透明又は半透明な合成樹脂で形成されていればよい。
【００６７】
また、本発明はこれに限らず、中子５４及び蓋５６の全体を不透明な合成樹脂で形成する構成としてもよい。
【００６８】
また、本実施形態では、清掃口付き継手５０の清掃口６８が、継手の曲がり部全体と重なる位置に形成される構成としたが、本発明はこれに限らない。清掃口６８は継手の曲がり部（本体管部５８の屈曲部５８Ｃ）の少なくとも一部と重なる位置に形成されていればよく、平面視で、本体管部５８の水平部５８Ａ及び鉛直部５８Ｂの内部の少なくとも一部が視認可能であることが好ましい。
【００６９】
また、本実施形態では、横引き管４６及び竪管４８の内部を洗浄する方法の一例として、清掃口付き継手５０の側管部６４にガイド部材９２を装着する構成としたが、本発明はこれに限らない。側管部６４にガイド部材９２を装着せず、直接側管部６４に洗浄ノズル９４を挿入して洗浄してもよい。また、本実施形態では、ガイド部材９２を弾性変形可能なゴム製としたが、弾性変形しない合成樹脂で形成してもよい。
【００７０】
また、横引き管４６及び竪管４８の内部を洗浄する方法の一例として、図９に示されるガイド部材１００を側管部６４に装着してもよい。ガイド部材１００は、合成樹脂により形成され、略円筒状をなす基部１００Ａと、基部１００Ａの軸方向の一端側の周縁部に一体に形成された支持部１００Ｂを備えている。支持部１００Ｂは、基部１００Ａの軸方向一端側の周縁部から基部１００Ａの軸方向に対して所定の角度傾斜した方向へ延出した筒体をなしている。ガイド部材１００の取付作業は、円筒状の基部１００Ａを清掃口付き継手５０の側管部６４の内側に挿入することにより完了する。
【００７１】
このガイド部材１００では、側管部６４への基部１００Ａの挿入方向を軸回りに回転させて変更することにより、支持部１００Ｂの延在方向を所定の方向に変更することができる。このため、横引き管４６の洗浄時には、横引き管４６の延在方向に合わせて支持部１００Ｂが配置される向きにガイド部材１００を装着する（図９に示す実線位置参照）。そして、竪管４８の洗浄時には、ガイド部材の向きを変更し、竪管４８の延在方向に合わせて支持部１００Ｂを配置する（図９に示す２点鎖線位置参照）。これにより、ガイド部材１００を用いて洗浄ノズル９４をその導入方向に合わせて支持することができるため、上記実施形態と同様に、配管内部への洗浄ノズル９４の挿入作業を容易に行うことができる。
【００７２】
また、上記実施形態では、清掃口付き継手５０をサイホン排水管４４に接続したが、下流側へ向けて傾斜する一般的な勾配配管に接続してもよい。また、清掃口付き継手５０を水平方向に延在する横引き管４６と鉛直下方に延在する竪管４８とに接続される構成としたが、これに限らず、水平面上において互いに異なる方向に延在する２本の配管の連結部に適用してもよい。
【符号の説明】
【００７３】
１０…サイホン排水システム、１４…床スラブ（床）、２０…水廻り器具、４６…横引き管、４８…竪管、５０…清掃口付き継手（継手）、５４…中子（閉塞部材）、５８…本体管部、５８Ａ…水平部（第１直線部）、５８Ｂ…鉛直部（第２直線部）５８Ｃ…屈曲部、６８…清掃口、８６…湾曲面
【図１】
2020063564.tif 000003
【図２】
2020063564.tif 000004
【図３】
2020063564.tif 000005
【図４】
2020063564.tif 000006
【図５】
2020063564.tif 000007
【図６】
2020063564.tif 000008
【図７】
2020063564.tif 000009
【図８】
2020063564.tif 000010
【図９】
2020063564.tif 000011